(57)【特許請求の範囲】
【請求項１】
８個の端子を持つモジュラジャックの４個の端子にバス配線の上流側となる４心を接続し、前記モジュラジャックの残りの４個の端子に前記バス配線の下流側となる４心を接続し、複数の前記モジュラジャックを介して前記バス配線をループ状に接続してなり、且つ前記モジュラジャックは、常時は前記バス配線の前記上流側と前記下流側を短絡しプラグが結合されることにより該短絡を解除する短絡ピン、又は前記モジュラジャックに結合されることにより前記バス配線の前記上流側と前記下流側を短絡する短絡プラグを具備する宅内配線構造に適用する、接続部品であって、
前記モジュラジャックに結合される第１のプラグと該第１のプラグと２心コードを介して接続される第２のプラグを具備し、
前記第１のプラグが、前記モジュラジャックに結合されることにより前記上流側と前記下流側の４心のバス配線を互いに接続すると共に前記バス配線の４心の内の２心を前記２心コードを介して前記第２のプラグに接続する端子を有することを特徴とする接続部品。
【請求項２】
８個の端子を持つモジュラジャックの４個の端子にバス配線の上流側となる４心を接続し、前記モジュラジャックの残りの４個の端子に前記バス配線の下流側となる４心を接続し、複数の前記モジュラジャックを介して前記バス配線をループ状に接続してなり、且つ前記モジュラジャックは、常時は前記バス配線の前記上流側と前記下流側を短絡しプラグが結合されることにより該短絡を解除する短絡ピン、又は前記モジュラジャックに結合されることにより前記バス配線の前記上流側と前記下流側を短絡する短絡プラグを具備する宅内配線構造に適用する、接続部品であって、
前記モジュラジャックに結合される第１のプラグと該第１のプラグと４心コードを介して接続される第２のプラグを具備し、
前記第１のプラグが、前記モジュラジャックに結合されることにより前記上流側と前記下流側の４心のバス配線を互いに接続すると共に前記バス配線の４心を前記４心コードを介して前記第２のプラグにＩＳＤＮのＳ／Ｔ点ピンアサインとして接続する端子を有することを特徴とする接続部品。
【請求項３】
８個の端子を持つモジュラジャックの４個の端子にバス配線の上流側となる４心を接続し、前記モジュラジャックの残りの４個の端子に前記バス配線の下流側となる４心を接続し、複数の前記モジュラジャックを介して前記バス配線をループ状に接続してなり、且つ前記モジュラジャックは、常時は前記バス配線の前記上流側と前記下流側を短絡しプラグが結合されることにより該短絡を解除する短絡ピン、又は前記モジュラジャックに結合されることにより前記バス配線の前記上流側と前記下流側を短絡する短絡プラグを具備する宅内配線構造に適用する、接続部品であって、
前記モジュラジャックに結合される第１のプラグと該第１のプラグと先端が２心コードに２分岐した４心コードを介して接続される第２、第３のプラグを具備し、
前記第１のプラグが、前記モジュラジャックに結合されることにより前記上流側の４心のバス配線の内の２心を前記４心コードの内の２心コードを介して前記２のプラグに接続すると共に残りの２心を前記４心コードの内の残りの２心コードを介して前記３のプラグに接続する端子を有することを特徴とする接続部品。
【請求項４】
８個の端子を持つモジュラジャックの４個の端子にバス配線の上流側となる４心を接続し、前記モジュラジャックの残りの４個の端子に前記バス配線の下流側となる４心を接続し、複数の前記モジュラジャックを介して前記バス配線をループ状に接続してなり、且つ前記モジュラジャックは、常時は前記バス配線の前記上流側と前記下流側を短絡しプラグが結合されることにより該短絡を解除する短絡ピン、又は前記モジュラジャックに結合されることにより前記バス配線の前記上流側と前記下流側を短絡する短絡プラグを具備する宅内配線構造に適用する、接続部品であって、
前記モジュラジャックに結合される第１のプラグと該第１のプラグと４心コードを介して接続される第２のプラグを具備し、
前記第１のプラグが、前記モジュラジャックに結合されることにより前記上流側の４心のバス配線を前記４心コードを介して前記第２のプラグにホームテレホン親機のピンアサインとして接続する端子を有することを特徴とする接続部品。
【請求項５】
８個の端子を持つモジュラジャックの４個の端子にバス配線の上流側となる４心を接続し、前記モジュラジャックの残りの４個の端子に前記バス配線の下流側となる４心を接続し、複数の前記モジュラジャックを介して前記バス配線をループ状に接続してなり、且つ前記モジュラジャックは、常時は前記バス配線の前記上流側と前記下流側を短絡しプラグが結合されることにより該短絡を解除する短絡ピン、又は前記モジュラジャックに結合されることにより前記バス配線の前記上流側と前記下流側を短絡する短絡プラグを具備する宅内配線構造に適用する、接続部品であって、
前記モジュラジャックに結合される第１のプラグと該第１のプラグと４心コードを介して接続される第２のプラグを具備し、
前記第１のプラグが、前記モジュラジャックに結合されることにより前記上流側と前記下流側の４心のバス配線を互いに接続すると共に前記バス配線の４心を前記４心コードを介して前記第２のプラグにホームテレホン子機のピンアサインとして接続する端子を有することを特徴とする接続部品。
【請求項６】
８個の端子を持つモジュラジャックの４個の端子にバス配線の上流側となる４心を接続し、前記モジュラジャックの残りの４個の端子に前記バス配線の下流側となる４心を接続し、複数の前記モジュラジャックを介して前記バス配線をループ状に接続してなり、且つ前記モジュラジャックは、常時は前記バス配線の前記上流側と前記下流側を短絡しプラグが結合されることにより該短絡を解除する短絡ピン、又は前記モジュラジャックに結合されることにより前記バス配線の前記上流側と前記下流側を短絡する短絡プラグを具備する宅内配線構造に適用する、接続部品であって、
前記モジュラジャックに結合される第１のプラグと該第１のプラグと４心コードを介して接続される第２のプラグを具備し、
前記第１のプラグが、前記モジュラジャックに結合されることにより前記下流側の４心のバス配線を前記４心コードを介して前記第２のプラグにイーサネットのストレート接続ピンアサインとして接続する端子を有することを特徴とする接続部品。
【請求項７】
８個の端子を持つモジュラジャックの４個の端子にバス配線の上流側となる４心を接続し、前記モジュラジャックの残りの４個の端子に前記バス配線の下流側となる４心を接続し、複数の前記モジュラジャックを介して前記バス配線をループ状に接続してなり、且つ前記モジュラジャックは、常時は前記バス配線の前記上流側と前記下流側を短絡しプラグが結合されることにより該短絡を解除する短絡ピン、又は前記モジュラジャックに結合されることにより前記バス配線の前記上流側と前記下流側を短絡する短絡プラグを具備する宅内配線構造に適用する、接続部品であって、
前記モジュラジャックに結合される第１のプラグと該第１のプラグと４心コードを介して接続される第２のプラグを具備し、
前記第１のプラグが、前記モジュラジャックに結合されることにより前記上流側の４心のバス配線を前記４心コードを介して前記第２のプラグにイーサネットのクロス接続ピンアサインとして接続する端子を有することを特徴とする接続部品。
【発明の詳細な説明】
【０００１】
【発明の属する技術分野】
本発明は、共通のバス配線を利用してトポロジーの異なる複数の通信サービスに対応させるための宅内配線構造に適用され、その複数のサービスのうちの特定のサービスに対応させるための接続部品（コードセット）に関するものである。
【０００２】
【従来の技術】
家庭内での通信サービス需要は多様化してきており、現在ではアナログ単体電話、ホームテレホン、ＩＳＤＮ等が多く普及している。また、今後、家庭内にＬＡＮの一種であるイーサネットやＩＥＥＥ１３９４が普及してくることが予想されている。
【０００３】
これらの通信サービスは全てペアケーブルで配線されるが、配線トポロジーはまちまちで、受動型バスとスター／ツリー型に分類でき、今後、配線トポロジーの異なる複数のサービスの中からユーザが任意のサービスを簡単に選択・変更できる仕組みが要求されてくる。
【０００４】
ところで、宅内配線は、壁内に配管を埋め込みその配管内にケーブルを配線したものと直接壁内にケーブルを埋め込んで配線したものがある。前者の配線では、バス／スターの両方の配線用の配管を準備するのは不経済であり、といって一方のトポロジーの配管に他方のトポロジーの配線を施すのも困難である。後者の配線は安価であるが後で配線変更はできない。このようなことから、先行配線としては、一般には、バス配線の方が低コストであることから普及している。
【０００５】
このようなバス配線を利用してイーサネットＬＡＮを構築する手法として、特願平９−１２７１９９号に、ＨＵＢ（集線装置）を多段に接続することでバス配線に適応させ、自動短絡モジュラジャックと二又のコードセットでユーザが簡単に接続できるようにしたものが提案されている。
【０００６】
【発明が解決しようとする課題】
ところが、この配線方法は、アナログ電話、ＴＡ（ターミナルアダプタ）の内線機能、ホームテレホン、今後普及が予想されるＩＥＥＥ１３９４等の通信サービスには対応していない。また、イーサネットの配線法に関しても、二又コードの左右どちらに接続するのかおよび接続コードのクロス／ストレートなどを意識して接続する必要がある等、ユーザにとって不便な点が残っており、改善が望まれている。
【０００７】
また、ホームテレホン、ＩＳＤＮ等の受動バス配線にも適応させることを考えると、親機やＤＳＵの設置場所の問題が生じてくる。親機やＤＳＵは通常バスの起点に接続されなければならないが、ユーザはこれらの通信機器を任意に設置してしまうことがあり、この場合は前もってバス配線が施されていても、機器設置に伴う新たな工事が必要となる。
【０００８】
本発明は以上のような点に鑑みてなされたもので、その目的は、配線トポロジーの異なる複数の通信サービスに対応でき、受けるサービスの変更も容易で、機器設置位置も任意に選定できるようにした宅内配線構造に対して機器を接続するための接続部品を提供することである。
【０００９】
【課題を解決するための手段】
上記課題を解決するための第１の発明の接続部品は、８個の端子を持つモジュラジャックの４個の端子にバス配線の上流側となる４心を接続し、前記モジュラジャックの残りの４個の端子に前記バス配線の下流側となる４心を接続し、複数の前記モジュラジャックを介して前記バス配線をループ状に接続してなり、且つ前記モジュラジャックは、常時は前記バス配線の前記上流側と前記下流側を短絡しプラグが結合されることにより該短絡を解除する短絡ピン、又は前記モジュラジャックに結合されることにより前記バス配線の前記上流側と前記下流側を短絡する短絡プラグを具備する宅内配線構造に適用する、接続部品であって、前記モジュラジャックに結合される第１のプラグと該第１のプラグと２心コードを介して接続される第２のプラグを具備し、前記第１のプラグが、前記モジュラジャックに結合されることにより前記上流側と前記下流側の４心のバス配線を互いに接続すると共に前記バス配線の４心の内の２心を前記２心コードを介して前記第２のプラグに接続する端子を有するよう構成した。
【００１０】
第２の発明の接続部品は、８個の端子を持つモジュラジャックの４個の端子にバス配線の上流側となる４心を接続し、前記モジュラジャックの残りの４個の端子に前記バス配線の下流側となる４心を接続し、複数の前記モジュラジャックを介して前記バス配線をループ状に接続してなり、且つ前記モジュラジャックは、常時は前記バス配線の前記上流側と前記下流側を短絡しプラグが結合されることにより該短絡を解除する短絡ピン、又は前記モジュラジャックに結合されることにより前記バス配線の前記上流側と前記下流側を短絡する短絡プラグを具備する宅内配線構造に適用する、接続部品であって、前記モジュラジャックに結合される第１のプラグと該第１のプラグと４心コードを介して接続される第２のプラグを具備し、前記第１のプラグが、前記モジュラジャックに結合されることにより前記上流側と前記下流側の４心のバス配線を互いに接続すると共に前記バス配線の４心を前記４心コードを介して前記第２のプラグにＩＳＤＮのＳ／Ｔ点ピンアサインとして接続する端子を有するよう構成した。
【００１１】
第３の発明の接続部品は、８個の端子を持つモジュラジャックの４個の端子にバス配線の上流側となる４心を接続し、前記モジュラジャックの残りの４個の端子に前記バス配線の下流側となる４心を接続し、複数の前記モジュラジャックを介して前記バス配線をループ状に接続してなり、且つ前記モジュラジャックは、常時は前記バス配線の前記上流側と前記下流側を短絡しプラグが結合されることにより該短絡を解除する短絡ピン、又は前記モジュラジャックに結合されることにより前記バス配線の前記上流側と前記下流側を短絡する短絡プラグを具備する宅内配線構造に適用する、接続部品であって、前記モジュラジャックに結合される第１のプラグと該第１のプラグと先端が２心コードに２分岐した４心コードを介して接続される第２、第３のプラグを具備し、前記第１のプラグが、前記モジュラジャックに結合されることにより前記上流側の４心のバス配線の内の２心を前記４心コードの内の２心コードを介して前記２のプラグに接続すると共に残りの２心を前記４心コードの内の残りの２心コードを介して前記３のプラグに接続する端子を有するよう構成した。
【００１２】
第４の発明の接続部品は、８個の端子を持つモジュラジャックの４個の端子にバス配線の上流側となる４心を接続し、前記モジュラジャックの残りの４個の端子に前記バス配線の下流側となる４心を接続し、複数の前記モジュラジャックを介して前記バス配線をループ状に接続してなり、且つ前記モジュラジャックは、常時は前記バス配線の前記上流側と前記下流側を短絡しプラグが結合されることにより該短絡を解除する短絡ピン、又は前記モジュラジャックに結合されることにより前記バス配線の前記上流側と前記下流側を短絡する短絡プラグを具備する宅内配線構造に適用する、接続部品であって、前記モジュラジャックに結合される第１のプラグと該第１のプラグと４心コードを介して接続される第２のプラグを具備し、前記第１のプラグが、前記モジュラジャックに結合されることにより前記上流側の４心のバス配線を前記４心コードを介して前記第２のプラグにホームテレホン親機のピンアサインとして接続する端子を有するよう構成した。
【００１３】
第５の発明の接続部品は、８個の端子を持つモジュラジャックの４個の端子にバス配線の上流側となる４心を接続し、前記モジュラジャックの残りの４個の端子に前記バス配線の下流側となる４心を接続し、複数の前記モジュラジャックを介して前記バス配線をループ状に接続してなり、且つ前記モジュラジャックは、常時は前記バス配線の前記上流側と前記下流側を短絡しプラグが結合されることにより該短絡を解除する短絡ピン、又は前記モジュラジャックに結合されることにより前記バス配線の前記上流側と前記下流側を短絡する短絡プラグを具備する宅内配線構造に適用する、接続部品であって、前記モジュラジャックに結合される第１のプラグと該第１のプラグと４心コードを介して接続される第２のプラグを具備し、前記第１のプラグが、前記モジュラジャックに結合されることにより前記上流側と前記下流側の４心のバス配線を互いに接続すると共に前記バス配線の４心を前記４心コードを介して前記第２のプラグにホームテレホン子機のピンアサインとして接続する端子を有するよう構成した。
【００１４】
第６の発明の接続部品は、８個の端子を持つモジュラジャックの４個の端子にバス配線の上流側となる４心を接続し、前記モジュラジャックの残りの４個の端子に前記バス配線の下流側となる４心を接続し、複数の前記モジュラジャックを介して前記バス配線をループ状に接続してなり、且つ前記モジュラジャックは、常時は前記バス配線の前記上流側と前記下流側を短絡しプラグが結合されることにより該短絡を解除する短絡ピン、又は前記モジュラジャックに結合されることにより前記バス配線の前記上流側と前記下流側を短絡する短絡プラグを具備する宅内配線構造に適用する、接続部品であって、前記モジュラジャックに結合される第１のプラグと該第１のプラグと４心コードを介して接続される第２のプラグを具備し、前記第１のプラグが、前記モジュラジャックに結合されることにより前記下流側の４心のバス配線を前記４心コードを介して前記第２のプラグにイーサネットのストレート接続ピンアサインとして接続する端子を有するよう構成した。
【００１５】
第７の発明の接続部品は、８個の端子を持つモジュラジャックの４個の端子にバス配線の上流側となる４心を接続し、前記モジュラジャックの残りの４個の端子に前記バス配線の下流側となる４心を接続し、複数の前記モジュラジャックを介して前記バス配線をループ状に接続してなり、且つ前記モジュラジャックは、常時は前記バス配線の前記上流側と前記下流側を短絡しプラグが結合されることにより該短絡を解除する短絡ピン、又は前記モジュラジャックに結合されることにより前記バス配線の前記上流側と前記下流側を短絡する短絡プラグを具備する宅内配線構造に適用する、接続部品であって、前記モジュラジャックに結合される第１のプラグと該第１のプラグと４心コードを介して接続される第２のプラグを具備し、前記第１のプラグが、前記モジュラジャックに結合されることにより前記上流側の４心のバス配線を前記４心コードを介して前記第２のプラグにイーサネットのクロス接続ピンアサインとして接続する端子を有するよう構成した。
【００２２】
【発明の実施の形態】
［第１の実施形態］
図１は本発明の第１の実施形態の通信用の宅内配線構造の説明図である。ここでは、５ヶの部屋Ａ，Ｂ，Ｃ，Ｄ，Ｅにコンセント１が各々設けられている。部屋Ａ，Ｂ，Ｄ，Ｅでのコンセント１は１個であるが、部屋Ｃには３個のコンセント１が設けられている。そして、各コンセント１をリング状に接続するように２対ペア線（４本）のバス配線２が、そのコンセント１の上流側、下流側の配管３内に配線されている。
【００２３】
各コンセント１には、図２に示すように、ＲＪ−４５の自動短絡型の８心モジュラジャック４が１個ずつ取り付けられている。このジャック４では、バス配線２の上流側２ａの４本の心線▲１▼，▲２▼，▲３▼，▲４▼が端子番号６，３，５，４の接続ピン４ａに順次接続され、下流側２ｂの４本の心線▲１▼’，▲２▼’，▲３▼’，▲４▼’が端子番号８，７，２，１の接続ピン４ａに順次接続されている。
【００２４】
また、このジャック４には、図２に示した端子番号１〜８の接続ピン４ａの他に、端子番号１，２，７、８の４個の接続ピン４ａにしてプリント基板４ｃ上の配線パターンで接続された４個の短絡ピン４ｂが設けられている（図３）。この短絡ピン４ｂの設置位置は、端子番号４，５，３，６の接続ピン４ａの上である。そして、ジャック４単体では、短絡ピン４ｂの弾性により端子番号１−４，２−５，３−７，６−８の接続ピン４ａが相互に短絡されている。
【００２５】
したがって、図４（ａ）に示すように、そのジャック４にプラグが挿入されていないときは、短絡ピン４ｂの短絡によって、バス配線２の上流側４ａと下流側４ｂの４本の心線▲１▼，▲２▼，▲３▼，▲４▼と▲１▼’，▲２▼’，▲３▼’，▲４▼’がスルーに接続され、４心の受動バス配線構造となる（図４（ｂ）、（ｃ））。
【００２６】
しかし、図５（ａ）に示すように、ジャック４にプラグ５が挿入されると、短絡ピン４ｂが接続ピン４ａから離れ、そのプラグ５が挿入されたジャック４において、図５（ｂ）に示すようにバス配線２の上流側２ａと下流側２ｂは分断される。
【００２７】
なお、コンセント１の各々は、バス配線２の施工時に上流側のコンセントから下流側のコンセントにかけて順にシリアル番号が記入され、ユーザはあるコンセントがバス配線２上の何番目のコンセントであるかを把握することができる。この宅内のバス配線２を用いて、各サービス毎に用意された後記するコードセット（接続部品）を利用することにより複数のサービスに対応することができる。
【００２８】
［第２の実施形態］
図６はアナログ電話のサービスを受ける場合の実施形態で使用するアナログ電話用コードセットの説明図である。ここでは、アナログ電話用第１コードセット６とアナログ電話用第２コードセット７を使用する。
【００２９】
第１コードセット６は、前記したコンセント１の８心モジュラジャック４に結合するＲＪ−４５のモジュラプラグ６１、２心のコード６２，およびアナログ電話機器８に接続するＲＪ−１１のモジュラプラグ６３から成る。
【００３０】
そして、プラグ６１の中ではメタル配線或いは金属パターンにより、端子番号１−４，２−５，３−７，６−８が共通接続され、その内の端子番号１，２がコード６２を介してプラグ６３の端子番号３，４に接続されている。
【００３１】
したがって、このプラグ６１は、ジャック４に接続することにより、バス配線２の上流側２ａの心線▲３▼，▲４▼を下流側２ｂの心線▲３▼’、▲４▼’に接続すると共にプラグ６３の端子番号３，４に接続する。また、上流側２ａの心線▲１▼，▲２▼を下流側２ｂの心線▲１▼’、▲２▼’に接続する。よって、プラグ６１を差し込むことによってジャック４の短絡ピン４ｂによる短絡接続が解除されても、その接続と同じ接続状態が、そのプラグ６１によって実現される。
【００３２】
第２コードセット７は、前記したコンセント１の８心モジュラジャック４に結合するＲＪ−４５のモジュラプラグ７１、２心のコード７２，およびアナログ電話機器８に接続するＲＪ−１１のモジュラプラグ７３から成る。
【００３３】
そして、プラグ７１の中ではメタル配線或いは金属パターンにより、端子番号１−４，２−５，３−７，６−８が共通接続され、その内の端子番号３，６がコード７２を介してプラグ７３の端子番号３，４に接続されている。
【００３４】
したがって、このプラグ７１は、ジャック４に接続することにより、バス配線２の上流側２ａの心線▲１▼，▲２▼を下流側２ｂの心線▲１▼’、▲２▼’に接続すると共にプラグ７３の端子番号３，４に接続する。また、上流側２ａの心線▲３▼，▲４▼を下流側２ｂの心線▲３▼’、▲４▼’に接続する。よって、プラグ７１を差し込むことによってジャック４の短絡ピン４ｂによる接続が解除されても、その接続と同じ接続状態が、そのプラグ７１によって実現される。
【００３５】
図７はアナログ２回線が引き込まれている場合に、この第１，第２コードセット６，７を用いてアナログ電話機８を接続した配線例を示す図である。２回線中の第１回線３１はバス配線２の心線▲３▼、▲４▼に接続され、第２回線３２は心線▲１▼，▲２▼に接続されている（図８）。そして、ここでは、部屋Ａのコンセント１と部屋Ｃの１つのコンセント１に、心線▲３▼、▲４▼に接続する第１コードセット６を用いてアナログ電話機８を接続し、部屋Ｄのコンセント１に心線▲１▼、▲２▼に接続する第２コードセット７を用いてアナログ電話機８を接続している。
【００３６】
したがって、アナログの第１回線３１には、第１コードセット６によって部屋Ａ，Ｃのアナログ電話機８が接続され、第２回線３２には第２コードセット７によって部屋Ｄのアナログ電話機８が接続される。なお、アナログの第１，第２回線３１，３２の引き込み箇所は、部屋Ｄに限られない。
【００３７】
［第３の実施形態］
図９はＩＳＤＮのサービスを受ける場合の実施形態で使用するコードセットの説明図である。ここではＤＳＵコードセット９とＩＳＤＮ端末コードセット１０を使用する。
【００３８】
ＤＳＵコードセット９は、前記したコンセント１の８心モジュラジャック４に結合するＲＪ−４５のモジュラプラグ９１、４心のコード９２，およびＤＳＵに接続するＲＪ−４５のモジュラプラグ９３から成る。
【００３９】
そして、プラグ９１の中ではメタル配線或いは金属パターンにより、端子番号１−２間に終端抵抗Ｒ１（１００Ω）が，７−８間に終端抵抗Ｒ２（１００Ω）が各々接続され、他の端子番号３〜６はコード９２を介してプラグ９３の端子番号３〜６（ＤＳＵのＳ／Ｔ点のピンアサイン）に接続されている。
【００４０】
このＤＳＵコードセット９により、宅内のバス配線２の下流側２ｂの心線▲３▼’−▲４▼’間、▲１▼’−▲２▼’間に終端抵抗Ｒ１，Ｒ２が接続されるので、新たに終端抵抗付きのジャックを新設する工事を発生させず、ユーザが任意のコンセントに終端抵抗Ｒ１，Ｒ２を接続することができる。
【００４１】
ＩＳＤＮ端末コードセット１０は、前記したコンセント１の８心モジュラジャック４に結合するＲＪ−４５のモジュラプラグ１０１、４心のコード１０２，およびＩＳＤＮ端末に接続するＲＪ−４５のモジュラプラグ１０３から成る。
【００４２】
そして、プラグ１０１の中ではメタル配線或いは金属パターンにより、端子番号１−４，２−５，３−７，６−８が各々接続され、そのうちの端子番号３〜６はコード１０２を介してプラグ１０３の端子番号３〜６に接続されている。
【００４３】
このＩＳＤＮ端末コードセット１０では、前記したアナログ第１コードセット６のプラグ６１と同様に、プラグ１０１をジャック４に接続することにより、バス配線２の上流側２ａの心線▲１▼〜▲４▼を下流側２ｂの心線▲１▼’〜▲４▼’に接続すると共にプラグ１０３の端子番号３〜６に接続する。よって、プラグ１０１を差し込むことによってジャック４の短絡ピン４ｂによる接続が解除されても、その接続と同じ接続状態が、そのプラグ１０１によって実現される。
【００４４】
図１０はＩＳＤＮ回線１３を部屋Ｄに引き込み、そこにＤＳＵ１１を設置して、このＤＳＵ１１とコンセント１との間をＤＳＵコードセット９で接続し、さらに他の部屋Ａ，Ｃにおいてコンセント１にＩＳＤＮ端末コードセット１０によりＩＳＤＮ機器１２を接続したものである。
【００４５】
このように、本実施形態では、ＤＳＵ１１の設置場所をユーザによって任意に決定し、その部屋ＤにおいてＤＳＵ１１のＳ／Ｔ点とバス配線２とをＤＳＵコードセット９で接続することができる。
【００４６】
［第４の実施形態］
図１１はＴＡの内線機能を利用する場合の実施形態で使用するコードセットの説明図である。この実施形態ではＴＡコードセット１４と前記図６で説明したアナログ第１コードセット６、アナログ第２コードセット７を使用する。
【００４７】
ＴＡコードセット１４は、コンセント１の８心モジュラジャック４に結合するＲＪ−４５のモジュラプラグ１４１、先端が２心で二又に分岐した４心のコード１４２、ＤＳＵ内蔵ＴＡ１５のＴＥＬ１端子に接続するＲＪ−１１のモジュラプラグ１４３、およびＤＳＵ内蔵ＴＡ１５のＴＥＬ２端子に接続するＲＪ−１１のモジュラプラグ１４４から成る。
【００４８】
そして、ＴＡコードセット１４では、プラグ１４１の端子番号４，５（心線▲４▼、▲３▼に対応）をプラグ１４３の端子番号３，４に接続し、プラグ１４１の端子番号２，６（心線▲２▼、▲１▼に対応）をプラグ１４４の端子番号３，４に接続する。
【００４９】
図１２はＩＳＤＮ回線１３を部屋Ｄに引き込み、そこにＤＳＵ内蔵ＴＡ１５を設置して、このＤＳＵ内蔵ＴＡ１５とコンセント１との間をＴＡコードセット１４で接続すると共に、他の部屋Ａのコンセント１にアナログ第１コードセット６によりアナログ電話機８を接続し、部屋Ｃの１個のコンセント１にアナログ第２コードセット７によりアナログ電話機８を接続したものである。
【００５０】
したがって、部屋Ａのアナログ電話機８は内線２の心線▲３▼，▲４▼を介してＤＳＵ内蔵ＴＡ１１のＴＥＬ１端子に、部屋Ｃのアナログ電話機８は内線２の心線▲１▼，▲２▼を介してＴＡ１１のＴＥＬ２端子に接続される。
【００５１】
このように、本実施形態では、部屋Ａと部屋Ｃのアナログ電話機８はバス配線２の異なる心線によりＤＳＵ内蔵ＴＡ１１のＴＥＬ１端子とＴＥＬ２端子に接続されるので、同時に外線通話が可能であり、且つＤＳＵ内蔵ＴＡ１１の内線機能により、内線通話も可能となる。
【００５２】
［第５の実施形態］
図１３はＨＩＩバス対応のホームテレホンを使用する場合の実施形態で使用するコードセットの説明図である。ここでは親機のピンアサインをコンセント側の下流側ピンに変換する親機コードセット１６と、上流側と下流側を短絡させ子機を接続する子機コードセット１７を使用する。
【００５３】
親機コードセット１６は、前記したコンセント１の８心モジュラジャック４に結合するＲＪ−４５のモジュラプラグ１６１、４心のコード１６２，および親機に接続するＲＪ−４５のモジュラプラグ１６３から成る。
【００５４】
そして、プラグ１６１の端子番号３，４，５，６が４心のコード１６２を介してプラグ１６３の端子番号７，４，５，８に順次接続されている。
【００５５】
子機コードセット１７は、前記したコンセント１の８心モジュラジャック４に結合するＲＪ−４５のモジュラプラグ１７１、４心のコード１７２，および子機に接続するＲＪ−１１のモジュラプラグ１７３から成る。
【００５６】
そして、プラグ１７１の中ではメタル配線或いは金属パターンにより、端子番号１−４，２−５，３−７，６−８が各々相互に接続され、そのうちの端子番号３〜６はコード１７２を介してプラグ１７３の端子番号３〜６に順次接続されている。
【００５７】
図１４はＩＳＤＮ回線１３を部屋Ｄに引き込み、その部屋Ｄにおいてホームテレホン親機１８とコンセント１との間を親機コードセット１６で接続し、他の部屋Ａ，Ｃのコンセント１に子機コードセット１７でホームテレホン子機１９を接続したものである。
【００５８】
したがって、親機１８に接続される親機コードセット１６のプラグ１６３の端子番号４，５が内線２の心線▲４▼、▲３▼を介して子機１９が接続される子機コードセット１７のプラグ１７３の端子番号４，５に接続され、同プラグ１６３の端子７，８が内線２の心線▲１▼，▲２▼を介して同プラグ１７３の端子３，６に接続される。また、プラグ１７１が接続されるコンセント１では、バス配線２の心線の上流側２ａと下流側２ｂが短絡される。
【００５９】
［第６の実施形態］
図１５はイーサネット機器を使用する場合の実施形態で使用するコードセットの説明図である。ここでは起点コードセット２０、終点コードセット２１、およびＨＵＢコードセット２２を用いる。
【００６０】
起点コードセット２０は、前記したコンセント１の８心モジュラジャック４に結合するＲＪ−４５のモジュラプラグ２０１、４心のコード２０２、および起点の機器に接続するＲＪ−４５のモジュラプラグ２０３から成る。
【００６１】
そして、プラグ２０１の端子番号１，２，７，８（心線▲４▼’、▲３▼’、▲２▼’、▲１▼’に対応）がプラグ２０３の端子番号１，２，３，６に順次接続され、下流側２ｂのピンをイーサネットのストレート接続として取り出すようになっている。つまり、心線が▲４▼’、▲３▼’、▲２▼’、▲１▼’の並びで取り出される（ストレートアサイン変換）。
【００６２】
終点コードセット２１は、コンセント１の８心モジュラジャック４に結合するＲＪ−４５のモジュラプラグ２１１、４心のコード２１２、および終点の機器に接続するＲＪ−４５のモジュラプラグ２１３から成る。
【００６３】
そして、プラグ２１１の端子番号３，４，５，６（心線▲２▼、▲４▼、▲３▼、▲１▼に対応）とプラグ２１３の端子番号１，３，６，２に順次接続され、上流側２ａのピンをイーサネットのクロス接続として取り出すようになっている。つまり、心線が▲２▼、▲１▼、▲４▼、▲３▼の並びで取り出される（クロスアサイン変換）。
【００６４】
ＨＵＢコードセット２２は、コンセント１の８心モジュラジャック４に結合するＲＪ−４５のモジュラプラグ２２１、８心から４心二又に分岐するコード２２２、およびＨＵＢ２４に接続するＲＪ−４５のモジュラプラグ２２３、２２４から成る。
【００６５】
そして、プラグ２２１の端子番号１，２，７，８（心線の▲４▼’、▲３▼’、▲２▼’、▲１▼’に対応）がプラグ２２４の端子番号１，２，３，６に順次接続され、前記の起点コードセット２０と同様のストレートアサイン変換が行われている。また、プラグ２２１の端子番号３，４，５，６（心線の▲２▼、▲４▼、▲３▼、▲１▼に対応）がプラグ２２３の端子１，３，６，２に順次接続され、前記の終点コードセット２１と同様のクロスアサイン変換が行われている。
【００６６】
本実施形態では、使用するコンセント１が２カ所のときは、起点コードセット２０と終点コードセット２１を用いることにより、任意の２カ所でイーサネット通信が可能となる。
【００６７】
３カ所以上のコンセント１を使用する場合は、隣合う２つのコンセント番号の上流側に位置する番号のコンセント１に終点コードセット２１を、他方のコンセント１に始点コードセット２０を接続し、それ以外のコンセント１をＨＵＢコードセット２２でＨＵＢ２４に接続する。この方法により、任意のコンセント間で通信が可能となり、ＨＵＢ２４のカスケード接続の制限を４段としても、６カ所のコンセントで通信可能となる。
【００６８】
図１６は部屋Ａ，Ｃ，Ｄに設置されたイーサネット機器２３をイーサネットで接続した構成例を示す図である。この場合は、部屋Ａと部屋Ｃのコンセント、部屋Ｃと部屋Ｄのコンセント、部屋Ｄと部屋Ａのコンセントがそれぞれ隣に位置するコンセントであり、ここでは部屋Ｄと部屋Ａのコンセントをペアとして採用する。部屋Ｄのコンセント１と部屋Ａのコンセント１では、前者が上流側であるので、部屋Ｄのコンセント１に起点コードセット２０によりイーサネット機器２３を接続し、部屋Ａのコンセント１に終点コードセット２１によりイーサネット機器２３を接続する。残った部屋Ｃのコンセント１とＨＵＢ２４をＨＵＢコードセット２２で接続し、そのＨＵＢ２４にイーサネット機器２３を接続する。
【００６９】
［第７の実施形態］
図１７はＩＥＥＥ１３９４機器を使用する場合の実施形態で使用するコードセットの説明図である。ここではＩＥＥＥ１３９４コードセット２５を用いる。
【００７０】
このＩＥＥＥ１３９４コードセット２５は、コンセント１の８心モジュラジャック４に結合するＲＪ−４５のモジュラプラグ２５１、８心から４心二又に分岐するコード２５２、およびＩＥＥＥ１３９４のＨＵＢ２６に接続するＲＪ−４５のモジュラプラグ２５３、２５４から成る。
【００７１】
そして、プラグ２５１の端子番号１，２，７，８（心線の▲４▼’、▲３▼’、▲２▼’、▲１▼’に対応）がプラグ２５４の端子番号１，２，７，８に順次接続され、ストレートアサイン変換が行われている。また、プラグ２５１の端子番号３，４，５，５（心線の▲２▼、▲４▼、▲３▼、▲１▼に対応）がプラグ２５３の端子１，７，８，２に順次接続され、クロスアサイン変換が行われている。
【００７２】
図１８は部屋Ａ，Ｃ，Ｄに設置されたＩＥＥＥ１３９４機器２７をバス配線２で接続した構成例を示す図である。この場合は、部屋Ａ，Ｃ，Ｄのコンセント１にＩＥＥＥ１３９４コードセット２５を介してＩＥＥＥ１３９４のＨＵＢ２６を接続し、このＨＵＢ２６にＩＥＥＥ１３９４機器２７を接続する。
【００７３】
［第８の実施形態］
図１９は１２心の６対ペア線（４心×３）で宅内のバス配線２８を構成し、複数の通信サービスに対応できるようにした例を示す図である。ユーザは部屋ＤにＩＳＤＮ回線１３を引き込み、ＤＳＵ／ＴＡ内蔵ルータ２９を設置する。各部屋のコンセント１にはモジュラジャック４と同じ構成の３個のモジュラジャック４Ａ，４Ｂ，４Ｃが設けられ、ユーザは希望する通信サービス用のコードセットを対応するモジュラジャックに接続することで、任意の部屋でサービスを利用することが可能となる。
【００７４】
ここでは、ＴＡコードセット１４が接続されたモジュラジャック４Ａに対応するバス配線にアナログ第１コードセット６やアナログ第２コードセット７を介して接続したアナログ電話機８によるＴＡ内線機能、ＤＳＵコードセット９が接続されたモジュラジャック４Ｂに対応するバス配線にＩＳＤＮコードセット１０を介して接続したＩＳＤＮ機器１２によるＩＳＤＮサービス、ＨＵＢコードセット２２が接続されたモジュラジャック４Ｃに対応するバス配線に起点コードセット２０や終点コードセット２１を介して接続したイーサネット機器２３によるイーサネット利用を実現したものである。ユーザは機器とコードセットを変更することで容易にそのサービスを変更できる。
【００７５】
［その他の実施形態］
なお、上記ではモジュラジャック４，４Ａ，４Ｂ，４Ｃに短絡ピン４ｂを設けて、モジュラプラグが結合されないときそのジャック部分でバス配線２の上流側２ａの心線▲１▼、▲２▼、▲３▼、▲４▼と下流側２ｂの心線▲１▼’、▲２▼’、▲３▼’、▲４▼’を短絡させたが、この短絡ピン４ｂに代えて、短絡プラグ（図示せず）を使用し、この短絡プラグをモジュラジャック４，４Ａ，４Ｂ，４Ｃに結合することにより、短絡ピンと同様に上流側２ａの心線▲１▼、▲２▼、▲３▼、▲４▼と下流側２ｂの心線▲１▼’、▲２▼’、▲３▼’、▲４▼’を短絡させるようにしても良い。
【００７６】
【発明の効果】
以上から本発明によれば、安価な先行バス配線により配線トポロジーの異なる複数の通信サービスに対応することができると共に、機器設置位置をユーザが任意に選定できる。さらに接続部品を変更することで新たな工事の必要なくしてユーザ側において簡単に希望する通信サービスを変更できるという利点がある。
【図面の簡単な説明】
【図１】４心のバス配線を利用した宅内配線構造の説明図である。
【図２】自動短絡モジュラジャックとバス配線の接続図である。
【図３】自動短絡モジュラジャックの構造の説明図である。
【図４】自動短絡モジュラジャックにプラグを差し込まないときのバス配線の上流側と下流側の短絡の説明図である。
【図５】自動短絡モジュラジャックにプラグを差し込んだときのバス配線の上流側と下流側の分断の説明図である。
【図６】外線アナログ２回線を利用するとき使用するアナログ第１コードセットとアナログ第２コードセットの接続図である。
【図７】外線アナログ２回線にアナログ電話機を接続する場合の接続図である。
【図８】アナログ外線の第１回線と第２回線のバス配線に対する接続図である。
【図９】ＩＳＤＮを利用するとき使用するＤＳＵコードセットとＩＳＤＮ端末コードセットの接続図である。
【図１０】ＩＳＤＮを利用する場合のバス配線とＩＳＤＮ機器の接続図である。
【図１１】ＴＡ内線機能を利用するとき使用するＴＡコードセットの接続図である。
【図１２】ＴＡ内線機能を利用する場合のバス配線に対する機器の接続図である。
【図１３】ホームテレホンを利用するとき使用する親機コードセットと子機コードセットの接続図である。
【図１４】ホームテレホンを利用する場合のバス配線に対する機器の接続図である。
【図１５】イーサネットを利用するときの起点コードセット、終点コードセット、ＨＵＢコードセットの接続図である。
【図１６】イーサネットを利用する場合のバス配線に対する機器の接続図である。
【図１７】ＩＥＥＥ１３９４を利用するとき使用するＩＥＥＥ１３９４コードセットの接続図である。
【図１８】ＩＥＥＥ１３９４を利用する場合のバス配線に対する機器の接続図である。
【図１９】６対ペア線をバス配線とした場合のバス配線に対する機器の接続図である。
【符号の説明】
１：コンセント、２：２対ペア線（４心）のバス配線、３：配管、４、４Ａ，４Ｂ，４Ｃ：ＲＪ−４５モジュラジャック、４ａ：接続ピン、４ｂ：短絡ピン、４ｃ：プリント基板、５：プラグ、６：アナログ第１コードセット、７：アナログ第２コードセット、８：アナログ電話機、９：ＤＳＵコードセット、１０：ＩＳＤＮ端末コードセット、１１：ＤＳＵ、１２：ＩＳＤＮ機器、１３：ＩＳＤＮ回線、１４：ＴＡコードセット、１５：ＤＳＵ内蔵ＴＡ、１６：親機コードセット、１７：子機コードセット、１８：ホームテレホン親機、１９：ホームテレホン子機、２０：起点コードセット、２１：終点コードセット、２２：ＨＵＢコードセット、２３：イーサネット機器、２４：ＨＵＢ、２５：ＩＥＥＥ１３９４コードセット、２６：ＩＥＥＥ１３９４ＨＵＢ、２７：ＩＥＥＥ１３９４機器、２８：６対ペア線（１２心）のバス配線、２９：ＤＳＵ／ＴＡ内蔵ルータ、３１，３２：アナログ回線。
【図１】
0003595975.tif 000002
【図２】
0003595975.tif 000003
【図３】
0003595975.tif 000004
【図４】
0003595975.tif 000005
【図５】
0003595975.tif 000006
【図６】
0003595975.tif 000007
【図７】
0003595975.tif 000008
【図８】
0003595975.tif 000009
【図９】
0003595975.tif 000010
【図１０】
0003595975.tif 000011
【図１１】
0003595975.tif 000012
【図１２】
0003595975.tif 000013
【図１３】
0003595975.tif 000014
【図１４】
0003595975.tif 000015
【図１５】
0003595975.tif 000016
【図１６】
0003595975.tif 000017
【図１７】
0003595975.tif 000018
【図１８】
0003595975.tif 000019
【図１９】
0003595975.tif 000020